(57)【要約】    【課題】  同一の撮影動作環境に基づくつなぎ撮り記録を簡単、かつ迅速に開始できるようにする。    【解決手段】  撮影テーマ毎に磁気テープ５０を交換しながら、同一の撮影テーマの画像を同一の磁気テープ５０に纏めてつなぎ撮り記録する場合に、カメラコントローラ５は、磁気テープ５０に記録されたズーム範囲、ズームスピード切替えタイミングを再生して自動的に設定する。【選択図】      図６
2005176250.tif 000002
【特許請求の範囲】
【請求項１】
ユーザの操作により設定された設定情報を撮影画像記録用の着脱可能な記録媒体に記録する記録手段と、
前記記録手段により前記記録媒体に記録された設定情報を再生する再生手段と、
前記再生手段により再生された設定情報をつなぎ撮り記録時の設定情報として設定する設定手段と、
を有することを特徴とする撮像装置。
【請求項２】
前記再生手段は、前回のつなぎ撮り記録時に前記記録手段により前記記録媒体に記録された設定情報を再生することを特徴とする請求項１に記載の撮像装置。
【請求項３】
前記設定手段により設定された設定情報を表示する表示手段を有することを特徴とする請求項１又は２に記載の撮像装置。
【請求項４】
前記記録手段により前記記録媒体に記録された設定情報をつなぎ撮り時の設定情報として前記設定手段により設定するか否かを指示する指示手段を有することを特徴とする請求項１〜３の何れかに記載の撮像装置。
【請求項５】
前記設定情報は、ズーム動作に係る設定情報であることを特徴とする請求項１〜４の何れかに記載の撮像装置。
【請求項６】
光学ズームと電子ズームとを組み合わせてズームを行うズーム手段を有することを特徴とする請求項１〜５の何れかに記載の撮像装置。
【請求項７】
ユーザの操作により設定された設定情報を撮影画像記録用の着脱可能な記録媒体に記録する記録工程と、
前記記録工程により前記記録媒体に記録された設定情報を再生する再生工程と、
前記再生工程により再生された設定情報をつなぎ撮り記録時の設定情報として設定する設定工程と、
を有することを特徴とする撮像装置の制御方法。
【請求項８】
ユーザの操作により設定された設定情報を撮影画像記録用の着脱可能な記録媒体に記録し、前記記録媒体に記録された設定情報を再生し、再生された設定情報をつなぎ撮り記録時の設定情報として設定する内容を有することを特徴とするプログラム。
【発明の詳細な説明】
【技術分野】
【０００１】
本発明は、カメラ一体型ＶＴＲ等の撮像装置、その制御方法、及びプログラムに関し、特に、つなぎ撮り記録の技術に関する。
【背景技術】
【０００２】
近年のカメラ一体型ＶＴＲ等の撮像装置は、光学ズーム機能と電子ズーム機能とを併用することにより、ズーム倍率（ズーム範囲）は著しく拡大され、近くのものから遠くのものまで、様々な撮影状況に対応できるようになってきた（特許文献１参照）。
【０００３】
また、ズーム範囲の拡大に伴って所望のズーム倍率を設定するのに長時間を要するようになったので、撮影状況に応じてユーザがズーム範囲を設定し、その範囲内で所望のズーム倍率を迅速に設定できるようにしたカメラ一体型ＶＴＲが実現されている。
【特許文献１】特開２００２−３１４８６８号公報
【発明の開示】
【発明が解決しようとする課題】
【０００４】
ところで、ユーザは、例えば、花、運動会、風景、子供など撮影テーマ毎に記録媒体を交換し、同一の撮影テーマに係る画像を同一の記録媒体に纏めて記録する、所謂、つなぎ撮り記録を行う場合がある。
【０００５】
しかし、記録媒体を交換しながらつなぎ撮り記録を行う場合には、撮影状況が変化するので、その都度、ズーム範囲等の撮影動作に係る設定操作を行う必要があり、この設定操作が面倒であるだけでなく、つなぎ撮り記録を迅速に開始することができなかった。
【０００６】
そこで、本発明は、同一の撮影動作環境に基づくつなぎ撮り記録を簡単、かつ迅速に開始し得る撮像装置、その制御方法、及びプログラムを提供することを目的とする。
【課題を解決するための手段】
【０００７】
上記目的を達成するため、本発明に係る撮像装置は、ユーザの操作により設定された設定情報を撮影画像記録用の着脱可能な記録媒体に記録する記録手段と、前記記録手段により前記記録媒体に記録された設定情報を再生する再生手段と、前記再生手段により再生された設定情報をつなぎ撮り記録時の設定情報として設定する設定手段とを有している。
【発明の効果】
【０００８】
本発明によれば、同一の撮影動作環境に基づくつなぎ撮り記録を簡単、かつ迅速に開始し得る撮像装置、その制御方法、及びプログラムを提供することが可能となる。
【発明を実施するための最良の形態】
【０００９】
以下、本発明を実施するための最良の形態を、図面に基づいて説明する。
【００１０】
図１は、本発明を適用したカメラ一体型ＶＴＲのカメラ部の概略構成示すブロック図である。図１において、１はズームレンズ、２は撮像素子（ＣＣＤ型、又はＭＯＳ型の固体撮像装置）、３はビデオ信号処理部、４はズームレンズ制御部、５はカメラコントローラ（ＣＰＵ）、６は記憶部、７はズーム操作部、８はズーム設定値指示部、９は表示部である。
【００１１】
なお、記憶部６は、ＲＡＭ、ＲＯＭ、ＥＥＰＲＯＭ等を有している。このＲＯＭには、カメラコントローラ５が実行する後述の各種処理（図６のフローチャートに係る処理を含む）に係るアプリケーションプログラムが格納されている。また、ＥＥＰＲＯＭには、後述するデフォルトのズーム範囲とズームスピード切替えタイミングが記憶されている。また、カメラコントローラ５は、ＲＡＭをワークエリアとして利用しながら上記アプリケーションプログラムを実行する。
【００１２】
ズームレンズ１は、ズーム倍率を切り替えるための複数のレンズにより構成されている。このズームレンズ１を介して受光した光像は、撮像素子２によりアナログの電気信号に変換されてビデオ信号処理部３に出力される。ビデオ信号処理部３は、撮像素子２から入力された信号に対し、Ａ／Ｄ変換処理、γ補正処理、ホワイトバランス処理等の処理を施すと共に、テレビジョン信号に準拠したビデオ信号とするための処理を施して、端子ｂから後述する記録再生部に出力する。この記録再生部では、ビデオ信号処理部３から入力されたビデオ信号に基づいて、磁気テープに対する画像等の記録・再生処理が行われる。
【００１３】
カメラコントローラ５は、ユーザによるズーム操作部７の操作によりズーミングが指示されると、ズームレンズ制御部４により、ズームレンズ１を移動させてズーム倍率を変化させる。すなわち、カメラコントローラ５は、光学ズーム動作を制御する。なお、カメラコントローラ５は、ズームレンズ１がテレ端まで移動した後もズーム操作部７の操作によりズーミングが指示され続けた場合は、撮像素子２から得られる画像信号を拡大する電子ズーム動作も制御する。
【００１４】
また、本実施形態では、ユーザがズーム範囲とズームスピード切替えタイミングを設定できるように構成されている。例えば、図２に示すようなＵＩ画面をカメラコントローラ５の制御により表示部７に表示し、図２に示した矢印状のアイコンをユーザがズーム設定値指示部８の操作により移動させることにより、設定するズーム範囲とズームスピード切替えタイミングを指示する。この指示されたズーム範囲とズームスピード切替えタイミングは、カメラコントローラ５により、記憶部６のＲＡＭに設定・登録される。
【００１５】
図２に示したズーム範囲に係るｍｉｎは、ユーザが設定したズーム範囲の最小値であり、ｍａｘはその最大値である。図２のＵＩ画面は、光学ズームと電子ズームを組み合わせて１倍から１００倍の範囲でズーム倍率を設定でき、ユーザの操作により５倍から１５倍までのズーム連動範囲が設定されていることを示している。
【００１６】
ズーム操作部７の操作によりズーム動作を示し続けた場合、カメラコントローラ５は、ズームレンズ制御部４により、所定のタイミングでズームスピードを低速、中速、高速の３段階に切り替える。図２に示したスピード切り替えに係る１ｓｔ、２ｎｄは、ズームスピードを切り替えるタイミングを示しており、ズーム動作の指示が開始されてから１ｓｔまでの期間は低速でズームされ、１ｓｔから２ｎｄまでの期間は中速でズームされ、２ｎｄ以降の期間は高速でズームされる。
【００１７】
つなぎ撮り記録が指示されていない場合は、カメラコントローラ５は、記憶部６のＥＥＰＲＯＭに記憶されているデフォルトのズーム範囲とズームスピード切替えタイミングとを設定するが、つなぎ撮り記録が指示されている場合には、後述する記録再生部の端子ｅから得られるズーム範囲とズームスピード切替えタイミングを設定する。
【００１８】
図３は、本発明を適用したカメラ一体型ＶＴＲの記録再生部の概略構成を示すブロック図である。本実施形態では、ユーザの操作により設定されたズーム範囲とズームスピード切替えタイミングを磁気テープ５０（図４参照）上に記録することが可能であり、記録再生部の構成を説明する前に、磁気テープ５０の記録フォーマットを説明しておく。
【００１９】
図４に示したように、磁気テープ５０には、傾斜した複数のヘリカル記録トラック５１，５２，５３，５４，５５が形成されている。これら記録トラックは、映像記録用のビデオセクタ５７、音声記録用のオーディオセクタ５８、付加情報記録用のサブコードセクタ５６、トラッキング制御等に用いるＩＴＩ（Ｉｎｓｅｒｔ  ａｎｄ  Ｔｒａｃｋ  Ｉｎｆｏｍａｔｉｏｎ）セクタ５９などにより構成されている。
【００２０】
なお、本実施形態では、１フィールド（１画像）のデータを１トラックに記録することを想定しているが、１フィールド（１画像）のデータを複数のトラック（例えば、５トラック）に振り分けて記録する場合にも本発明を適用することが可能である。
【００２１】
ビデオセクタ５７は、複数のシンクブロックにより構成され、２次元的にデータが配置されているが、ここでは図５（Ｂ）のように、簡単に一次元的に表記している。図５（Ｂ）に示したビデオセクタ５７のＩＤコード領域７１には、ビデオセクタ５７のデータ配置構成やトラックナンバー等のＩＤコードが記録される。ビデオデータ領域７２には、ビデオデータが記録される。ビデオＡＵＸ領域７３には、ビデオデータを記録した年月日時分秒（タイムコード）などビデオに関連する情報が記録されると共に、ユーザの操作により設定されたズーム範囲、ズームスピード切替えタイミングが記録される。パリティ領域７４には、誤り訂正用のパリティビットデータが記録される。
【００２２】
オーディオセクタ５８も同様に、複数のシンクブロックにより構成され２次元的にデータが配置されているが、図５（Ｃ）のように、簡単に一次元的に表記した。図５（Ｃ）に示したオーディオセクタ５８のＩＤコード領域８１には、オーディオセクタ５８のデータ配置構成やトラックナンバー等のＩＤコードが記録される。オーディオデータ領域８２には、オーディオデータが記録される。オーディオＡＵＸ領域８３には、オーディオデータを記録した年月日時分秒などオーディオに関連する情報が記録される。パリティ領域８４には、誤り訂正用のパリティビットデータが記録される。
【００２３】
サブコードセクタ５６は、図５（Ｃ）に示したように、画像のタイトルや高速サーチ等で利用される情報等が記録されるサブコードデータ領域６１と、誤り訂正用のパリティビットデータが記録されるパリティ領域６２で構成されている。
【００２４】
図３に示した記録再生部において、２１はビデオＡＵＸエンコード部、２２はビデオセクタエンコード部、２３はオーディオセクタエンコード部、２４はサブコードエンコード部、２５は記録符号化部、２６は回転ヘッド、２７は記録ヘッド、２８は再生ヘッド、２９は再生検出部、３０はビデオセクタデコード部、３１はオーディオセクタデコード部、３２はサブコードデコード部、３３はビデオＡＵＸデコード部である。
【００２５】
端子ａ、ｂ、ｅは、図１に示したカメラ部の端子ａ、ｂ、ｅに対応している。端子ｃ、ｇは音声処理部（不図示）に接続され、端子ｄ、ｈはサブコード処理部（不図示）に接続されており、音声処理部、サブコード処理部では、それぞれ所定の音声処理、サブコード処理が行われる。
【００２６】
ビデオＡＵＸエンコード部２１は、ユーザ操作に基づいて設定され、カメラコントローラ５から入力されたズーム範囲、ズームスピード切替えタイミング、及び記録日時分秒などのビデオＡＵＸデータを、離散コサイン変換処理等によりエンコード（圧縮、以下同様）する。ビデオセクタエンコード部２２は、ビデオ信号処理部３から入力されたビデオ信号をエンコードして、ビデオＡＵＸエンコード部２１から入力されたエンコードに係るビデオＡＵＸデータと共に記録符号化部２５に送出する。オーディオセクタエンコード部２３は、音声処理部から入力されたオーディオ信号等をエンコードして、記録符号化部２５に送出する。サブコードエンコード部２４は、サブコード処理部から入力されたサブコード等をエンコードして記録符号化部２５に送出する。
【００２７】
記録符号化部２５は、ＩＴＩセクタ５９に係るデータを生成すると共に、ビデオセクタ５７のＩＤコード、及びパリティビットデータ、オーディオセクタ５８のＩＤコード、及びパリティビットデータ、サブコードセクタ５６のパリティビットデータを生成する。
【００２８】
そして、記録符号化部２５は、生成したＩＴＩセクタ５９に係るデータ、及びビデオセクタエンコード部２２、オーディオセクタエンコード部２３、サブコードセクタエンコード部２４から入力されたエンコードに係るデータを用いて、図５に示したような各セクタのシンクブロックを形成し、各セクタのデータを図４に示したように組み立てて、磁気テープ５０の記録トラックに記録するための記録用データを構成する。
【００２９】
次に、記録符号化部２５は、上記の記録用データを例えばＮＲＺ（Ｎｏｎ  Ｒｅｔｕｒｎ  ｔｏ  Ｚｅｒｏ）方式で符号化して、記録ヘッド２７に供給することにより、回転ドラム２６上の磁気テープ５０に順次（記録トラック５５、５４、５３、５２、５１といいた順番で）記録させる。
【００３０】
再生時には、磁気テープ５０から再生ヘッド２８によりデータが読み取られ、再生検出部２９に出力される。再生検出部２９は、再生ヘッド２８から入力されたデータの中からＩＤコードを検出し、このＩＤデータに基づいて各セクタのデータを識別することにより、再生ヘッド２８から入力されたデータを対応するデコード部３０、３１，３２に振り分けて送出する。
【００３１】
ビデオセクタデコード部３０は、再生検出部２９から入力されたビデオデータをデコードして、再生信号として端子ｆから出力すると共に、再生検出部２９から入力されたビデオＡＵＸデータ（ズーム範囲、ズームスピード切替えタイミングを含む）をビデオＡＵＸデコード部３３に出力する。ビデオＡＵＸデコード部３３は、ビデオセクタデコード部３０から入力されたビデオＡＵＸデータをデコードして、端子ｅを介してカメラコントローラ５に出力する。
【００３２】
オーディオセクタデコード部３１は、再生検出部２９から入力されたオーディオデータ、オーディオＡＵＸデータをデコードし、端子ｇから出力する。また、サブコードデコード部３２は、再生検出部２９から入力されたサブコードデータをデコードし、端子ｈから出力する。
【００３３】
次に、つなぎ撮り記録を行う場合の処理を、図６のフローチャートに基づいて説明する。
【００３４】
つなぎ撮り記録用の磁気テープ５０（磁気テープカセット）が装着され、つなぎ撮り記録モードが所定の操作子の操作により設定されて記録スタンバイが指示されると（ステップＳ１）、カメラコントローラ５は、不図示のテープ搬送系により装着に係る磁気テープ５０を所定量だけ巻き戻させ、再生状態にして、磁気テープ５０を逆方向（記録・再生時の方向）に搬送させる（ステップＳ２）。この場合、装着された磁気テープ５０は、前回のつなぎ撮り記録が終了した後、一切のテープ搬送動作が実行されていないことを前提としている。
【００３５】
このように、磁気テープ５０を逆方向に搬送する過程で、前回のつなぎ撮り時に用いられて磁気テープ５０に記録されたズーム範囲とズームスピード切替えタイミングが再生されて、カメラコントローラ５に入力される。（ステップＳ２）。
【００３６】
そして、カメラコントローラ５は、磁気テープ５０が巻き戻し量と同じ量だけ逆方向に搬送されると、すなわち、磁気テープ５０が今回のつなぎ撮り記録の記録開始点まで達すると（ステップＳ３）、ユーザ設定値（ズーム範囲、及びズームスピード切替えタイミング）の読み取り（再生）を終了する（ステップＳ４）。
【００３７】
ズームカメラコントローラ５は、ズーム範囲、及びズームスピード切替えタイミングが磁気テープ５０から再生された場合は（ステップＳ５）、その再生に係るズーム範囲、及びズームスピード切替えタイミングを、今回のつなぎ撮り記録時に使用するズーム範囲、及びズームスピード切替えタイミングとして記憶部６のＲＡＭに自動的に設定・登録する（ステップＳ６）。
【００３８】
次に、カメラコントローラ５は、ステップＳ６で設定・登録したズーム範囲、及びズームスピード切替えタイミングを表示部９に表示することにより、ズーム範囲、及びズームスピード切替えタイミングの設定値が、デフォルトの値から変更された旨をユーザに報知する（ステップＳ７）。そして、カメラコントローラ５は、つなぎ撮り記録のスタンバイ状態に移行し、ユーザからの記録開始の指示を待つ（ステップＳ８）。
【００３９】
なお、ユーザは、ステップＳ６で自動的に設定・登録され、ステップＳ７で表示された磁気テープ５０からの再生に係るズーム範囲、及びズームスピード切替えタイミングを変更することも可能であるが、同一の撮影テーマに係る画像を同一の記録媒体に纏めて記録するつなぎ撮り記録を行う場合には、通常、各回のつなぎ撮り記録において、同一のズーム範囲、及びズームスピード切替えタイミングを用いるので、ステップＳ６で自動的に設定・登録された再生に係るズーム範囲、及びズームスピード切替えタイミングを変更することは殆ど無いものと思われる。
【００４０】
カメラコントローラ５は、何も記録されていない磁気テープ５０が装着された場合等、ズーム範囲、及びズームスピード切替えタイミングが磁気テープ５０から再生されなかった場合は（ステップＳ５）、記憶部６のＥＥＰＲＯＭに記憶されているデフォルトのズーム範囲、及びズームスピード切替えタイミングが変更されずにそのまま使用される旨を表示部９に表示する（ステップＳ９）。そして、カメラコントローラ５は、つなぎ撮り記録のスタンバイ状態に移行し、ユーザからの記録開始の指示を待つ（ステップＳ８）。
【００４１】
ユーザは、ステップＳ９における表示内容を見て、何も記録されていない磁気テープ５０に今からつなぎ撮り記録しようとする撮影テーマに対して、デフォルトのズーム範囲、及びズームスピード切替えタイミングが不適切であると判断した場合は、これらデフォルト値を変更することができる。デフォルトのズーム範囲、及びズームスピード切替えタイミング（変更しなかった場合）、又はそれらの変更値（変更した場合）は、つなぎ撮り記録時に磁気テープ５０に記録される。
【００４２】
このように、撮影テーマ毎に磁気テープ５０を交換しながら同一の撮影テーマの画像を同一の磁気テープ５０に纏めて記録するつなぎ撮り記録を行う場合には、磁気テープ５０に記録されたズーム範囲、ズームスピード切替えタイミングが自動的に再生されて設定されるので、つなぎ撮り記録を行う毎に（すなわち、磁気テープ５０を交換する毎に）、その磁気テープ５０に係る撮影テーマに応じて、ユーザがズーム範囲とズームスピード切替えタイミングを設定し直す必要がなく、操作の煩わしさから開放される。換言すれば、同一の撮影動作環境に基づくつなぎ撮り記録を簡単、かつ迅速に開始することが可能となる。
【００４３】
なお、本発明は、カメラ一体型ＶＴＲに限定されるものではなく、つなぎ撮り記録に係る画像、ズーム範囲、及びズームスピード切替えタイミングを記録する記録媒体は、ディスク、ＲＡＭ、或いは半導体メモリを内蔵したフラッシュメモリ等の所謂ＭＩＣ（Ｍｅｍｏｒｙ  Ｉｎ  Ｃａｓｓｅｔｔｅ）などであってもよい。図７は、記録ディスクの領域を示しており、９０は画像記録領域、９１はコントロール領域である。このコントロール領域９１は、画像記録領域に記録する画像を制御するための情報を格納する領域であり、この領域にズーム範囲とズームスピード切替えタイミングを記録してもよい。また、記録媒体がＭＩＣの場合は、内蔵の半導体メモリにズーム範囲とズームスピード切替えタイミングを記録してもよい。
【００４４】
さらに、ズーム範囲とズームスピード切替えタイミング以外のユーザ操作に係る設定情報（例えば、動画／静止画撮影モード、２次元／立体撮影モード）を、つなぎ撮りに係る画像を記録する記録媒体に記録することも可能である。
【００４５】
また、つなぎ撮り記録の記録開始点の認識は、上記のように、磁気テープの巻き戻し量に基づいて行うのではなく、記録年月日時分秒（タイムコード）に基づいて行うことも可能である。さらに、磁気テープ上にヘリカル記録トラックの他にリニアトラックを設けた場合は、磁気テープを巻き戻す前にリニアトラックに記録開始点を示すマークを記録しておき、巻き戻し後の再生時にこのマークを検出することにより、つなぎ撮り記録の記録開始点を認識してもよい。
【００４６】
また、記録媒体から再生したユーザ操作に係る設定情報は、設定した後に表示することなく、再生した時点で表示してもよい。また、つなぎ撮り記録用の記録媒体にユーザ操作に係る設定情報が記録されている場合は、つなぎ撮り記録を行うに当たって、この記録に係る設定情報を常に設定するようにしているが、この記録に係る設定情報をつなぎ撮り記録時に設定するか否かを指示する操作子を設け、この操作子の操作により、記録に係る設定情報を設定するように指示された場合に限り、記録に係る設定情報を設定するように構成することも可能である。
【００４７】
また、光学ズーム機能と電子ズーム機能とを組み合わせてズームを行う場合だけでなく、何れか一方のズーム機能だけでズームを行う場合にも本発明を適用することが可能である。
【００４８】
また、本発明の目的は、上記実施形態の機能を実現するソフトウェアのプログラムコードを記録した記憶媒体（または記録媒体）を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００４９】
この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部または全部を行い、その処理によって前述した実施形態の機能が実現される場合も含まれることは言うまでもない。
【００５０】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。本発明を上記記憶媒体に適用する場合、その記憶媒体には、先に説明した（図６に示す）フローチャートに対応するプログラムコードが格納されることになる。
【図面の簡単な説明】
【００５１】
【図１】本発明を適用したカメラ一体型ＶＴＲのカメラ部の概略構成示すブロック図である。
【図２】ズーム範囲、ズームスピード切替えタイミングを設定するためのＵＩ画面例を示す図である。
【図３】本発明を適用したカメラ一体型ＶＴＲの記録再生部の概略構成示すブロック図である。
【図４】磁気テープのトラックパターンを示す図である。
【図５】磁気テープのセクタパターンを示す図である。
【図６】つなぎ撮り記録を行う場合の処理を示すフローチャートである。
【図７】記録ディスクの領域を示す図である。
【符号の説明】
【００５２】
１：ズームレンズ、２：撮像素子、３：ビデオ信号処理部、４：ズームレンズ制御部、５：カメラコントローラ、６：記憶部、７：ズーム操作部、８：ズーム設定値指示部、９は表示部である。
【図１】
2005176250.tif 000003
【図２】
2005176250.tif 000004
【図３】
2005176250.tif 000005
【図４】
2005176250.tif 000006
【図５】
2005176250.tif 000007
【図６】
2005176250.tif 000008
【図７】
2005176250.tif 000009